(57)【特許請求の範囲】
【請求項１】
患者が使用し、看護師を呼び出すためのベッド子機（１ａ〜４ａ、１ｂ〜４ｂ、・・・）と、前記ベッド子機からの呼び出しを廊下灯（２０ａ、２０ｂ、・・・）を介して看護師に報知し、これに応答するためのナースコール親機（２１）および携帯端末（２２ａ、２２ｂ、・・・）と、前記ナースコール親機および前記廊下灯を制御するための制御機（２５）とから構成され、
前記患者の容態に応じて前記ナースコール親機での呼出優先度を患者優先度設定モードにより設定するための患者別優先呼出設定部（２１０）と、前記患者別優先呼出設定部にて設定された患者優先設定データを記憶するためのメモリ（２５０）と、前記ベッド子機から複数の呼び出しであって通常時に看護師を呼び出す通常呼び出し、緊急時にスタッフコール等の緊急呼び出しを行うにあたり、前記緊急呼び出しは前記通常呼び出しよりも優先呼び出しを行うように設定されている場合、前記メモリに記憶された前記患者優先設定データの呼出優先度として前記ベッド子機からの呼び出しが、同時になされた呼び出しよりも前記患者優先設定データの呼出優先度が高い場合に前記同時になされた呼び出しが緊急呼び出しであっても前記患者優先設定データの呼出優先度が高い方の呼び出しを優先呼び出しするように前記ナースコール親機への呼び出しを制御するための制御部（２１７、２５１）とを備え、
前記ナースコール親機は、前記患者毎に設けられ、前記看護師が前記患者を呼び出すときに選局する選局ボタン（２１０ａ）を有するエスカッションの集合によって構成されたボード型のナースコール親機であって、前記呼出優先度を設定するために親機制御部（２１７）を前記患者優先度設定モードとし、前記患者別優先呼出設定部は、前記選局ボタンにより前記患者を指定することによって前記設定を行うものであることを特徴とするナースコールシステム。
【請求項２】
前記ナースコール親機は表示部（２１１）を有し、前記ベッド子機からの呼び出しが複数同時に行われた場合には、前記患者優先設定データの呼出優先度、緊急呼び出し、通常呼び出しの呼出優先度をもとに、最も呼出優先度の高い呼び出しを前記表示部に表示させる制御を行うための制御部（２１７、２５１）を備えることを特徴とする請求項１記載のナースコールシステム。
【請求項３】
前記ナースコール親機は表示部（２１１）を有し、前記ベッド子機からの呼び出しが複数同時に行われた場合には、前記患者優先設定データの呼出優先度、緊急呼び出し、通常呼び出しの呼出優先度をもとに、前記呼び出しを前記表示部に複数表示するものであって、前記呼出優先度の高い順に並べて表示させ、表示中に別の呼び出しがあった場合は、前記呼出優先度の順序が優先表示位置に表示が行われるように表示順序を変更するための制御を行う制御部（２１７、２５１）を備えることを特徴とする請求項１記載のナースコールシステム。
【発明の詳細な説明】
【技術分野】
【０００１】
本発明は病院や看護施設等に設置されるナースコールシステムに係り、特に、患者の容態に応じて看護師への呼出報知に呼出優先度を持たせたナースコールシステムに関する。
【背景技術】
【０００２】
従来から、この種の病院や看護施設等に設置されるナースコールシステムとして、病室内に在室中の看護師（または患者）からの緊急呼出時には、自分の受け持ちか否かに拘わらず（関わらず）全ての携帯端末に呼び出しをかけるとともに、通常呼出時には通常呼出元である病床の患者を受け持つ（担当の）看護師が携行している携帯端末に呼び出しをかけることにより、緊急呼出元である看護師を除く他の看護師全てが緊急呼び出しに即時に対応することができ、迅速な看護業務の遂行が図れるナースコール装置が開示されている（例えば、特許文献１を参照）。
【０００３】
【特許文献１】特開２０００−２２４３２１号公報（段落番号００２１〜００３０、図１〜図３）
【発明の開示】
【発明が解決しようとする課題】
【０００４】
しかしながら、従来例のナースコール装置では、通常時に看護師を呼び出す通常呼び出し（通常のナースコール呼び出し）、緊急時にスタッフコール等の緊急呼び出しを行うように、呼出種別の相違に応じてのみ呼出優先度が設定されていることから、例えば、重症の患者が通常呼び出しを行った場合、その他の患者から同時に呼び出しがあると呼出報知が後回しになる虞があり、看護師による対応が遅れてしまう難点があった。
【０００５】
本発明は、前述の難点を解消するためになされたもので、患者の容態に応じて看護師への呼出報知に呼出優先度を持たせることにより、当該看護師による迅速かつ適切な対応および看護業務の遂行が図れるナースコールシステムを提供することを目的としている。
【課題を解決するための手段】
【０００６】
前述の目的を達成するため、本発明のナースコールシステムは、患者が使用し、看護師を呼び出すためのベッド子機と、ベッド子機からの呼び出しを廊下灯を介して看護師に報知し、これに応答するためのナースコール親機および携帯端末と、ナースコール親機および廊下灯を制御するための制御機とから構成されている。患者の容態に応じてナースコール親機での呼出優先度を患者優先度設定モードにより設定するための患者別優先呼出設定部と、患者別優先呼出設定部にて設定された患者優先設定データを記憶するためのメモリと、ベッド子機から複数の呼び出しであって通常時に看護師を呼び出す通常呼び出し、緊急時にスタッフコール等の緊急呼び出しを行うにあたり、緊急呼び出しは通常呼び出しよりも優先呼び出しを行うように設定されている場合、メモリに記憶された患者優先設定データの呼出優先度としてベッド子機からの呼び出しが、同時になされた呼び出しよりも患者優先設定データの呼出優先度が高い場合に同時になされた呼び出しが緊急呼び出しであっても患者優先設定データの呼出優先度が高い方の呼び出しを優先呼び出しするようにナースコール親機への呼び出しを制御するための制御部とを備え、ナースコール親機は、患者毎に設けられ、看護師が前記患者を呼び出すときに選局する選局ボタンを有するエスカッションの集合によって構成されたボード型のナースコール親機であって、呼出優先度を設定するために患者呼出優先度設定モードとし、患者別優先呼出設定部は、選局ボタンにより患者を指定することによって設定を行うものである。
【０００７】
また、本発明のナースコールシステムにおいて、ナースコール親機は表示部を有し、ベッド子機からの呼び出しが複数同時に行われた場合には、患者優先設定データの呼出優先度、緊急呼び出し、通常呼び出しの呼出優先度をもとに、最も呼出優先度の高い呼び出しを表示部に表示させる制御を行うための制御部を備えている。
【０００８】
また、本発明のナースコールシステムにおいて、ナースコール親機は表示部を有し、ベッド子機からの呼び出しが複数同時に行われた場合には、患者優先設定データの呼出優先度、緊急呼び出し、通常呼び出しの呼出優先度をもとに、呼び出しを表示部に複数表示するものであって、呼出優先度の高い順に並べて表示させ、表示中に別の呼び出しがあった場合は、呼出優先度の順序が優先表示位置に表示が行われるように表示順序を変更するための制御を行う制御部を備えている。
【発明の効果】
【０００９】
本発明のナースコールシステムによれば、ナースコール親機での呼出優先度について、患者優先度設定モードにより患者別優先呼出設定部を操作して患者の容態に応じて設定するにあたり、緊急時に行われるスタッフコール等の緊急呼び出しが通常時に看護師を呼び出す通常呼び出しよりも優先呼び出しするように患者毎に設定され、設定された患者優先設定データがナースコール親機の制御部および制御機の制御部により当該制御機のメモリに記憶されている場合には、呼出優先度が高い呼び出しと同時になされた呼び出しが緊急呼び出しであっても呼出優先度が高い方の呼び出しを優先してナースコール親機の表示部に表示させる、または呼出優先度の高い順に並べて表示部に表示させることができ、さらに、呼出優先度の高い順に並べて表示させる設定の表示中に別の呼び出しがあった場合には、呼出優先度の順序が優先表示位置に表示が行われるように表示部の表示順序が変更されることから、これらの表示を確認した看護師による迅速かつ適切な対応および看護業務の遂行が図れる。
【発明を実施するための最良の形態】
【００１０】
以下、本発明のナースコールシステムを適用した最良の実施の形態例について、図面を参照して説明する。
【００１１】
図１は、本発明の実施例によるナースコールシステムの全体構成を示すシステム説明図である。
【００１２】
図１のシステム説明図に示すナースコールシステムは、「１０１号室」、「１０２号室」、・・・のような病室毎の各病床、所定の位置に設置され個別のベッド子機番号（後述する）を有しており、病床の患者が医療従事者である医師や看護師、例えば、ナースステーション内に在室中の看護師（以下、在室看護師という。）や後述する携帯端末２２ａ、２２ｂ、・・・をそれぞれ携行しながら病院内を巡回中の医師や看護師（以下、巡回看護師という。）のうち受け持ち（担当）の巡回看護師に対して通常時に通常呼び出し（通常のナースコール呼び出し）、緊急時に緊急呼び出しを行うように呼出種別毎で異なる呼出操作が行われ通話を成立させるとともに、在室看護師からの呼び出し（一斉呼び出しを含む）が報知され、これに応答した患者が呼出元の看護師との間で通話を成立させるために使用されるベッド子機、ここでは、病室毎４台づつ設置されたベッド子機１ａ〜４ａ、１ｂ〜４ｂ、・・・と、病室毎のトイレ内に設置され個別のトイレ子機番号（詳述せず）を有しており、当該トイレを使用している患者が前述の在室看護師や受け持ち（担当）の巡回看護師に対してトイレ介助を必要としてトイレ呼び出しを行う場合に操作するトイレ子機、ここでは、病室毎のトイレに１台づつ設置されたトイレ子機１０ａ、１０ｂ、・・・と、病室毎に設置、例えば、病室の出入口近傍や廊下先に設置され個別の廊下灯番号（詳述せず）を有しており、ベッド子機ラインＬ1a〜Ｌ4a、Ｌ1b〜Ｌ4b、・・・をそれぞれ介して接続された自病室内のベッド子機１ａ〜４ａ、１ｂ〜４ｂ、・・・からの呼び出しを呼出種別毎に検出し、検出された呼出情報データを廊下灯ラインＬ20を介して後述する制御機２５に送出する、またはトイレ子機ラインＬ10a、Ｌ10b、・・・をそれぞれ介して接続された自病室内のトイレ子機１０ａ、１０ｂ、・・・からのトイレ呼び出しを検出し、検出された呼出情報データを廊下灯ラインＬ20を介して後述する制御機２５に送出するための廊下灯２０ａ、２０ｂ、・・・と、ナースステーション内に設置されており、後述する制御機２５の制御によってベッド子機１ａ〜４ａ、１ｂ〜４ｂ、・・・からの呼び出しがあることを呼出種別毎異なるパターンで報知（呼出報知）し、これに応答した在室看護師が呼出元の患者との間で通話を成立させる、または後述する制御機２５の制御によってトイレ子機１０ａ、１０ｂ、・・・からのトイレ呼び出しがあることを報知（呼出報知）するとともに、在室看護師が特定の患者を呼び出して通話を成立させる、または一斉呼び出しを行うためのナースコール親機、ここでは、前述の呼出報知機能、呼出機能および通話機能が一体的に構成されたボード型のナースコール親機２１と、巡回看護師によりそれぞれ携行され個別の端末番号（詳述せず）を有しており、後述する制御機２５の制御によってベッド子機１ａ〜４ａ、１ｂ〜４ｂ、・・・からの呼び出しがあることを呼出種別毎異なるパターンで報知（呼出報知）し、これに応答した巡回看護師が呼出元の患者との間で通話を成立させるとともに、後述する制御機２５の制御によってトイレ子機１０ａ、１０ｂ、・・・からのトイレ呼び出しがあることを報知（呼出報知）するためのＰＨＳ（Personal Handyphone System）���の携帯端末２２ａ、２２ｂ、・・・と、携帯端末２２ａ、２２ｂ、・・・をそれぞれ無線制御するための基地局２３と、基地局ラインＬ21を介して接続された基地局２３を制御（回線制御）するためのデジタル方式のＰＢＸ交換機２４と、廊下灯ラインＬ20を介して廊下灯２０ａ、２０ｂ、・・・、親機ラインＬ22を介して（ボード型の）ナースコール親機２１、交換機ラインＬ23を介してＰＢＸ交換機２４をそれぞれ接続する中継器としてナースステーション内、または病院内の共用部に設置されており、これら接続された機器をそれぞれ制御するための制御機２５とから構成されている。
【００１３】
なお、前述の緊急呼び出しとは、病床の患者が在室看護師や受け持ち（担当）の巡回看護師に対して行う場合のみならず、病室内に在室中の看護師が他の看護師に対して支援を求めるようなスタッフコール等を行う場合も該当する。この場合、（ボード型の）ナースコール親機２１では、ベッド子機１ａ〜４ａ、１ｂ〜４ｂ、・・・からの呼び出しとして、病室内に在室中の看護師からのスタッフコール等の緊急呼び出しがあることを呼出種別毎異なるパターンで報知（呼出報知）し在室看護師に対して支援が求められ、携帯端末２２ａ、２２ｂ、・・・についても、同様なスタッフコール等の緊急呼び出しがあることを呼出種別毎異なるパターンで報知（呼出報知）し巡回看護師に対して支援を求めることができる。
【００１４】
また、図１のシステム説明図において、廊下灯２０ａ、２０ｂ、・・・はそれぞれ同様な構成であり、ベッド子機ラインＬ1a〜Ｌ4a、Ｌ1b〜Ｌ4b、・・・を介してそれぞれ接続された自病室内のベッド子機１ａ〜４ａ、１ｂ〜４ｂ、・・・からの呼び出しを呼出種別毎異なるパターンで点滅表示または点灯表示させる、或いはトイレ子機ラインＬ10a、Ｌ10b、・・・を介して接続された自病室内のトイレ子機１０ａ、１０ｂ、・・・からのトイレ呼び出しを前述の呼出種別とは異なるパターンで点滅表示または点灯表示させるための複数個のＬＥＤ（Light Emitting Diode）から構成された表示部２００が備えられている。
【００１５】
さらに、図１のシステム説明図において、携帯端末２２ａ、２２ｂ、・・・はそれぞれ同様な構成であり、ベッド子機１ａ〜４ａ、１ｂ〜４ｂ、・・・からの呼び出しがあることを呼出種別毎異なるパターンで表示する、またはトイレ子機１０ａ、１０ｂ、・・・からのトイレ呼び出しを前述の呼出種別とは異なるパターンで表示するためのＬＣＤ（Liquid Crystal Display）、有機ＥＬ（Electroluminescence）等から構成された表示部２２０と、ベッド子機１ａ〜４ａ、１ｂ〜４ｂ、・・・からの呼び出しがあることを示す呼出種別毎異なるパターンの呼出音や音声メッセージ、またはトイレ子機１０ａ、１０ｂ、・・・からのトイレ呼び出しがあることを示す前述の呼出種別毎のパターンとは異なる呼出音や音声メッセージを出力するとともに、巡回看護師が呼出元である病床の患者または病室内に在室中の看護師との間で通話を成立させるための音声（送話音声、受話音声）を入出力する呼出通話部２２１とが備えられている。
【００１６】
なお、図１のシステム説明図において、ベッド子機１ａ〜４ａ、１ｂ〜４ｂ、・・・には、それぞれ個別のベッド子機番号として、「１」〜「４」、「１」〜「４」、・・・が割り当てられているものとする。
【００１７】
図２は、本発明の実施例によるナースコールシステムにおいて、（ボード型の）ナースコール親機２１および制御機２５の具体的な構成を示すブロック図である。
【００１８】
図２のブロック図において、（ボード型の）ナースコール親機２１は、ベッド子機１ａ〜４ａ、１ｂ〜４ｂ、・・・がそれぞれ設置された病室内の各病床の患者の容態に応じて当該ナースコール親機での呼出優先度、ここでは、高／低の２段階を患者優先度設定モードにより設定するために用いられ、在室看護師が患者を呼び出すときに選局する当該患者毎の選局ボタン２１０ａがエスカッションの集合にて構成された患者別優先呼出設定部２１０と、患者別優先呼出設定部２１０にて設定された患者優先設定データやベッド子機１ａ〜４ａ、１ｂ〜４ｂ、・・・からの呼出種別毎で異なる呼び出しがあること、またはトイレ子機１０ａ、１０ｂ、・・・からのトイレ呼び出しがあることを所定のパターンで表示するためのＬＣＤ、有機ＥＬ、複数個のＬＥＤ等から構成された表示部２１１と、表示部２１１を駆動させるための表示部駆動回路２１２と、ベッド子機１ａ〜４ａ、１ｂ〜４ｂ、・・・からの呼び出しがあることを示す呼出種別毎異なるパターンの呼出音や音声メッセージ、またはトイレ子機１０ａ、１０ｂ、・・・からのトイレ呼び出しがあることを示す前述の呼出種別毎のパターンとは異なる呼出音や音声メッセージを生成するための音声合成回路２１３と、音声合成回路２１３にて生成された呼出音や音声メッセージを出力して呼出報知を行うためのスピーカ（拡声スピーカ）２１４と、在室看護師が呼出元または呼出先である病床の患者、或いは呼出元である病室内に在室中の看護師との間で通話を成立させるための音声（送話音声、受話音声）を入出力するハンドセット２１５と、在室看護師によるハンドセット２１５を使用した通話の通話路を形成するための通話回路２１６と、当該親機の構成各部をそれぞれ制御するための制御部（以下、親機ＣＰＵという。）２１７と、親機ＣＰＵ２１７および親機ラインＬ22の間の信号伝送路、通話回路２１７および親機ラインＬ22の間の信号伝送路をそれぞれ形成するためのインターフェース（以下、親機Ｉ／Ｆという。）２１８とが備えられている。
【００１９】
なお、（ボード型の）ナースコール親機２１において、前述の選局ボタン２１０ａを有する患者別優先呼出設定部２１０、表示部２１１、スピーカ２１４、ハンドセット２１５は、図１のシステム説明図に示される。
【００２０】
また、図２のブロック図において、制御機２５には、ナースコール親機２１の患者別優先呼出設定部２１０にて設定された患者優先設定データや当該看護師の勤務形態である日勤、夜勤、準夜勤のチームナーシング情報等を記憶するためのＲＯＭ（Read Only Memory）、ＲＡＭ（Random Access Memory）等のメモリ２５０と、ベッド子機１ａ〜４ａ、１ｂ〜４ｂ、・・・（およびトイレ子機１０ａ、１０ｂ、・・・）からの呼び出しが同時に複数あった場合、メモリ２５０に記憶された患者優先設定データの呼出優先度をもとにナースコール親機２１への呼び出しを制御するとともに、当該システム全体を制御するための制御部（以下、制御機ＣＰＵという。）２５１と、制御機ＣＰＵ２５１および廊下灯ラインＬ20の間の信号伝送路を形成するためのインターフェース（以下、廊下灯側制御機Ｉ／Ｆという。）２５２と、制御部ＣＰＵ２５１および親機ラインＬ22の間の信号伝送路を形成するためのインターフェース（以下、親機側制御機Ｉ／Ｆという。）２５３と、制御部ＣＰＵ２５１および交換機ラインＬ23の間の信号伝送路を形成するためのインターフェース（以下、交換機側制御機Ｉ／Ｆという。）２５４とが備えられている。
【００２１】
なお、制御機２５の制御機ＣＰＵ２５１には、ナースコール親機２１にて呼出報知を行うにあたり、前述のような呼出優先度が高く設定されている呼出元である病床の患者からの呼出種別を問わずした呼び出しや通常呼び出し、（病床の患者または病室内に在室中の看護師からのスタッフコール等の）緊急呼び出し、トイレ呼び出し等の優先順位が設定されている。ここでは、呼出優先度が高く設定されている患者からの呼出種別を問わずした呼び出し、（病床の患者または病室内に在室中の看護師からのスタッフコール等の）緊急呼び出し、トイレ呼び出し、通常呼び出しの順序で優先順位が設定されているものとする。
【００２２】
このように構成された本発明の実施例によるナースコールシステムにおいて、以下、具体的な動作について説明する。
【００２３】
図１のシステム説明図において、ベッド子機１ａ〜４ａ、１ｂ〜４ｂ、・・・がそれぞれ設置された病室内の各病床の患者の容態、例えば、重症、軽症等の看護の必要性の有無に応じて呼出優先度を設定する、ここでは、ベッド子機１ａが設置された病床の患者およびベッド子機４ｂが設置された病床の患者に対して呼出優先度を高く設定するため、（ナースステーション内の）在室看護師は、ナースコール親機２１の患者別優先呼出設定部２１０を操作して図２のブロック図に示す親機ＣＰＵ２１７の動作状態を患者優先度設定モードとした後、エスカッションの集合にて構成された選局ボタン２１０ａを操作してベッド子機１ａ、４ｂをそれぞれ選択（指定）する。
【００２４】
ナースコール親機２１の（患者優先度設定モードである）親機ＣＰＵ２１７は、在室看護師による患者別優先呼出設定部２１０の操作情報、すなわち、ベッド子機１ａ、４ｂがそれぞれ設置された病床の患者に対する高く設定された呼出優先度の患者優先設定データを検出し、表示部駆動回路２１２を制御して前述の検出された患者優先設定データを表示部２１１に表示、例えば、当該表示部を構成するＬＣＤ、有機ＥＬ等に表示させるとともに、前述の検出された患者優先設定データを付加させた設定情報信号Ｓ1を生成する。この設定情報信号Ｓ1は、親機ＣＰＵ２１７から親機Ｉ／Ｆ２１８、親機ラインＬ22、制御機２５の親機側制御機Ｉ／Ｆ２５３を介して制御機ＣＰＵ２５１へと伝送される。
【００２５】
制御機２５の制御機ＣＰＵ２５１は、ナースコール親機２１の親機ＣＰＵ２１７からの設定情報信号Ｓ1に付加されている患者優先設定データ、すなわち、ベッド子機１ａ、４ｂがそれぞれ設置された病床の患者に対する高く設定された呼出優先度の患者優先設定データをメモリ２５０に記憶させる。
【００２６】
なお、制御機２５において、メモリ２５０に記憶された患者優先設定データは、図３のテーブル構成図に示すように、ベッド子機１ａ、４ｂがそれぞれ設置された病床を有する病室の部屋番号、すなわち、廊下灯２０ａ、２０ｂの廊下灯番号（詳述せず）にそれぞれ割り当てられた病室の部屋番号「１０１」、「１０２」およびベッド子機番号「１」、「４」に対応している。
【００２７】
また、前述のベッド子機１ａが設置された病床の患者およびベッド子機４ｂが設置された病床の患者以外の当該患者に対しては呼出優先度を低く設定され、その旨の患者優先設定データが制御機２５のメモリ２５０に記憶されているものとする（図３のテーブル構成図を参照）。
【００２８】
次に、図１のシステム説明図において、前述のような呼出優先度の設定が行われた後、１０１号室内のベッド子機４ａが病床に設置されている患者が在室看護師や受け持ち（担当）の巡回看護師に対して緊急呼び出しを行うためにベッド子機４ａの緊急呼出機能（詳述せず）を能動にするのと同時に、１０２号室内のベッド子機４ｂが病床に設置されている患者が在室看護師や受け持ち（担当）の巡回看護師に対して通常呼び出しを行うためにベッド子機４ｂの通常呼出機能（詳述せず）を能動にした場合の動作について説明する。
【００２９】
なお、前述のベッド子機４ａにて行われた緊急呼び出しとは、病床の患者が在室看護師や受け持ち（担当）の巡回看護師に対して緊急を要した場合のみならず、１０１号室内に在室中の看護師が在室看護師や携帯端末２２ａ、２２ｂ、・・・を携行している巡回看護師に対して支援を求めるようなスタッフコール等も該当する。
【００３０】
なお、前述の「同時」とは、病床の患者（または病室内に在室中の看護師）による呼出操作が同時のタイミングで行われたことを意味するだけでなく、ナースコール親機２１での応答待ちの待受状態が複数あることを意味している。
【００３１】
先ず、呼出種別毎異なるパターンの呼出操作が同時に行われたベッド子機４ａ、４ｂのうち、緊急呼出元のベッド子機４ａにベッド子機ラインＬ4aを介して接続されている廊下灯２０ａでは、ベッド子機４ａに割り当てられている表示部２００を構成するＬＥＤを緊急呼び出しを示すパターンで点滅表示または点灯表示させるとともに、緊急呼び出しを示す呼出種別情報、自廊下灯の廊下灯番号（詳述せず）、ベッド子機４ａの子機番号「４」を含む呼出情報データを生成し、生成された呼出情報データを付加させた呼出信号Ｓ14aを廊下灯ラインＬ20に送出する。この呼出信号Ｓ14aは、廊下灯２０ａから廊下灯ラインＬ20を介して（廊下灯２０ａを除く）他の廊下灯２０ｂ、・・・と、廊下灯２０ａから廊下灯ラインＬ20、図２のブロック図に示す制御機２５の廊下灯側制御機Ｉ／Ｆ２５２を介して制御機ＣＰＵ２５１とへそれぞれ伝送される。
【００３２】
なお、（廊下灯２０ａを除く）他の廊下灯２０ｂ、・・・では、廊下灯２０ａからの呼出信号Ｓ14aに付加されている」が制御機２５（の制御機ＣＰＵ２５１）からの出力信号でないことにより、通常、呼出信号Ｓ14aを無効であると判断する。
【００３３】
制御機２５の制御機ＣＰＵ２５１は、廊下灯２０ａからの呼出信号Ｓ14aに付加されている呼出情報データのうち、廊下灯番号（詳述せず）に割り当てられてメモリ２５０に記憶されている部屋番号「１０１」と呼出報知を行う当該携帯端末を指定するための端末番号（詳述せず）とを検出するとともに、検出された部屋番号「１０１」および前述の子機番号「４」に割り当てられてメモリ２５０に記憶されているベッド子機４ａが設置された病床の患者に関する患者優先設定データを検出する。ここでは、ベッド子機４ａが設置された病床を有する病室の部屋番号「１０１」、ベッド子機４ａが設置された病床の患者を受け持つ（担当の）巡回看護師のみならず全ての巡回看護師が携行している携帯端末２２ａ、２２ｂ、・・・をそれぞれ指定するための端末番号（詳述せず）および呼出優先度が低く設定されている旨の患者優先設定データを検出し、検出された部屋番号「１０１」、患者優先設定データ、前述の呼出種別情報および子機番号「４」を付加させた呼出報知信号（以下、親機呼出報知信号という。）Ｓ24aと、同様に検出された部屋番号「１０１」、携帯端末２２ａ、２２ｂ、・・・をそれぞれ指定するための端末番号（詳述せず）、前述の呼出種別情報および子機番号「４」を付加させた呼出報知信号（以下、端末呼出報知信号という。）Ｓ34aとをそれぞれ生成する。また、親機呼出報知信号Ｓ24aおよび端末呼出報知信号Ｓ34aのうち、親機呼出報知信号Ｓ24aは、制御機ＣＰＵ２５１から親機側制御機Ｉ／Ｆ２５３、親機ラインＬ22、ナースコール親機２１の親機Ｉ／Ｆ２１８を介して親機ＣＰＵ２１７へと伝送される。一方、端末呼出報知信号Ｓ34aは、制御機ＣＰＵ２５１から交換機側制御機Ｉ／Ｆ２５４、交換機ラインＬ23、ＰＢＸ交換機２４、基地局ラインＬ21、基地局２３を介して適宜、無線信号に信号処理された後、全ての携帯端末２２ａ、２２ｂ、・・・へとそれぞれ伝送される。
【００３４】
ナースコール親機２１の親機ＣＰＵ２１７は、制御機２５の制御機ＣＰＵ２５１からの親機呼出報知信号Ｓ24aに付加されている部屋番号、患者優先設定データ、呼出種別情報および子機番号をもとに、呼出優先度が低く設定された１０１号室内のベッド子機４ａが病床に設置されている患者（またはベッド子機４ａにて緊急呼び出しを行った看護師）からの緊急呼び出しを検出して所定の呼出報知を行う。ここでは、表示部駆動回路２１２を制御して、表示部２１１を構成するＬＣＤ、有機ＥＬ等に１０１号室内のベッド子機４ａが病床に設置されている患者（またはベッド子機４ａにて緊急呼び出しを行った看護師）からの緊急呼び出しがあることを示す文字や絵データを表示させる、および／または当該表示部を構成する複数個のＬＥＤのうちベッド子機４ａに割り当てられているＬＥＤを緊急呼び出しを示すパターンで点滅表示または点灯表示させるとともに、音声合成回路２１３を制御して、１０１号室内のベッド子機４ａが病床に設置されている患者（またはベッド子機４ａにて緊急呼び出しを行った看護師）からの緊急呼び出しがあることを示す呼出音や音声メッセージをスピーカ２１４から出力させて呼出報知を行う。
【００３５】
（全ての）携帯端末２２ａ、２２ｂ、・・・は、それぞれ制御機２５の制御機ＣＰＵ２５１からの端末呼出報知信号Ｓ34aに付加されている端末番号と自端末の端末番号とを照合し、一致した場合にのみ所定の呼出操作を行う。ここでは、（全ての）携帯端末２２ａ、２２ｂ、・・・にてそれぞれ端末呼出報知信号Ｓ34aに付加されている端末番号と自端末の端末番号とが一致し、端末呼出報知信号Ｓ34aに同様に付加されている部屋番号「１０１」、呼出種別情報および子機番号「４」をもとに１０１号室内のベッド子機４ａが病床に設置されている患者（またはベッド子機４ａにて緊急呼び出しを行った看護師）からの緊急呼び出しがあることを検出し、検出された旨の文字や絵データを表示部２２０に表示させるとともに、検出された旨の呼出音や音声メッセージを呼出通話部２２１から出力させて呼出報知を行う。
【００３６】
なお、携帯端末２２ａ、２２ｂ、・・・の表示部２２０には、それぞれ前述の各種データの他に、呼出時刻、すなわち、端末呼出報知信号Ｓ34aが受信された時刻を表示させることもできる。
【００３７】
また、制御機２５から携帯端末２２ａ、２２ｂ、・・・へとそれぞれ伝送される端末呼出報知信号Ｓ34aには、表示部２２０の文字色、点滅（点滅パターン）、表示マーク、フォント等を変更するための制御情報を付加させることもでき、この制御情報が付加されている場合には、端末番号が一致した全ての携帯端末２２ａ、２２ｂ、・・・の表示部２２０にそれぞれ表示される各種データの文字色、点滅（点滅パターン）、表示マーク、フォント等が変更される。
【００３８】
一方、呼出種別毎異なるパターンの呼出操作が同時に行われたベッド子機４ａ、４ｂのうち、通常呼出元のベッド子機４ｂにベッド子機ラインＬ4bを介して接続されている廊下灯２０ｂでは、ベッド子機４ｂに割り当てられている表示部２００を構成するＬＥＤを通常呼び出しを示すパターンで点滅表示または点灯表示させるとともに、通常呼び出しを示す呼出種別情報、自廊下灯の廊下灯番号（詳述せず）、ベッド子機４ｂの子機番号「４」を含む呼出情報データを生成し、生成された呼出情報データを付加させた呼出信号Ｓ14bを廊下灯ラインＬ20に送出する。この呼出信号Ｓ14bは、廊下灯２０ｂから廊下灯ラインＬ20を介して（廊下灯２０ｂを除く）他の廊下灯２０ａ、・・・と、廊下灯２０ｂから廊下灯ラインＬ20、（図２のブロック図に示す）制御機２５の廊下灯側制御機Ｉ／Ｆ２５２を介して制御機ＣＰＵ２５１とへそれぞれ伝送される。
【００３９】
なお、（廊下灯２０ｂを除く）他の廊下灯２０ａ、・・・では、廊下灯２０ｂからの呼出信号Ｓ14bが制御機２５（の制御機ＣＰＵ２５１）からの出力信号でないことにより、通常、呼出信号Ｓ14bを無効であると判断する。
【００４０】
制御機２５の制御機ＣＰＵ２５１は、廊下灯２０ｂからの呼出信号Ｓ14bに付加されている呼出情報データのうち、廊下灯番号（詳述せず）に割り当てられてメモリ２５０に記憶されている部屋番号「１０２」と呼出報知を行う当該携帯端末を指定するための端末番号（詳述せず）とを検出するとともに、検出された部屋番号「１０２」および前述の子機番号「４」に割り当てられてメモリ２５０に記憶されているベッド子機４ｂが設置された病床の患者に関する患者優先設定データを検出する。ここでは、ベッド子機４ｂが設置された病床を有する病室の部屋番号「１０２」、ベッド子機４ｂが設置された病床の患者を受け持つ（担当の）巡回看護師が携行している携帯端末２２ｂを指定するための端末番号（詳述せず）および呼出優先度が高く設定されている旨の患者優先設定データを検出し、検出された部屋番号「１０２」、患者優先設定データ、前述の呼出種別情報および子機番号「４」を付加させた親機呼出報知信号Ｓ24bと、同様に検出された部屋番号「１０２」、携帯端末２２ｂを指定するための端末番号（詳述せず）、前述の呼出種別情報および子機番号「４」を付加させた端末呼出報知信号Ｓ34bとをそれぞれ生成する。また、親機呼出報知信号Ｓ24bおよび端末呼出報知信号Ｓ34bのうち、親機呼出報知信号Ｓ24bは、前述の親機呼出報知信号Ｓ24aと同様な経路を介してナースコール親機２１の親機ＣＰＵ２１７へと伝送される。一方、端末呼出報知信号Ｓ34bについても、前述の端末呼出報知信号Ｓ34aと同様な経路を伝送され、適宜、信号処理された無線信号として全ての携帯端末２２ａ、２２ｂ、・・・へとそれぞれ伝送される。
【００４１】
ナースコール親機２１の親機ＣＰＵ２１７は、制御機２５の制御機ＣＰＵ２５１からの親機呼出報知信号Ｓ24bに付加されている部屋番号、患者優先設定データ、呼出種別情報および子機番号をもとに、呼出優先度が高く設定された１０２号室内のベッド子機４ｂが病床に設置されている患者からの通常呼び出しを検出し、この患者に対する呼出優先度と前述の検出された１０１号室内のベッド子機４ａが病床に設置されている患者に対する呼出優先度とを比較する。ここでは、先に呼出報知が行われている１０１号室内のベッド子機４ａが病床に設置されている患者に対する呼出優先度よりも１０２号室内のベッド子機４ｂが病床に設置されている患者の呼出優先度が高く設定されていることから、これを検出した親機ＣＰＵ２１７は、表示部駆動回路２１２を制御して、表示部２１１を構成するＬＣＤ、有機ＥＬ等の表示形態として、１０１号室内のベッド子機４ａが病床に設置されている患者（またはベッド子機４ａにて緊急呼び出しを行った看護師）からの緊急呼び出しがあることを示す文字や絵データの表示を停止または保留し、１０２号室内のベッド子機４ｂが病床に設置されている患者からの通常呼び出しがあることを示す文字や絵データを表示させる、および／または当該表示部を構成する複数個のＬＥＤのうちベッド子機４ａに割り当てられているＬＥＤの緊急呼び出しを示すパターンの点滅表示または点灯表示を消灯し、ベッド子機４ｂに割り当てられているＬＥＤを通常呼び出しを示すパターンで点滅表示または点灯表示させるとともに、音声合成回路２１３を制御して、１０１号室内のベッド子機４ａが病床に設置されている患者（またはベッド子機４ａにて緊急呼び出しを行った看護師）からの緊急呼び出しがあることを示す呼出音や音声メッセージのスピーカ２１４からの出力を停止して１０２号室内のベッド子機４ｂが病床に設置されている患者からの通常呼び出しがあることを示す呼出音や音声メッセージを出力させて呼出報知を行う。
【００４２】
（全ての）携帯端末２２ａ、２２ｂ、・・・は、それぞれ制御機２５の制御機ＣＰＵ２５１からの端末呼出報知信号Ｓ34bに付加されている端末番号と自端末の端末番号とを照合し、一致した場合にのみ所定の呼出操作を行う。ここでは、（全ての）携帯端末２２ａ、２２ｂ、・・・のうち携帯端末２２ｂのみ端末呼出報知信号Ｓ34bに付加されている端末番号と自端末の端末番号とが一致し、端末呼出報知信号Ｓ34bに同様に付加されている部屋番号「１０２」、呼出種別情報および子機番号「４」をもとに１０２号室内のベッド子機４ｂが病床に設置されている患者からの通常呼び出しがあることを検出し、検出された旨の文字や絵データを表示部２２０に表示させるとともに、検出された旨の呼出音や音声メッセージを呼出通話部２２１から出力させて呼出報知を行う。
【００４３】
なお、携帯端末２２ｂでは、１０２号室内のベッド子機４ｂが病床に設置されている患者からの通常呼び出しがある旨の呼出報知のうち表示部２２０での表示を、前述の１０１号室内のベッド子機４ａが病床に設置されている患者（またはベッド子機４ａにて緊急呼び出しを行った看護師）からの緊急呼び出しがある旨の表示と併せて表示させることもできる。
【００４４】
また、携帯端末２２ｂの表示部２２０には、前述の各種データの他に、呼出時刻、すなわち、端末呼出報知信号Ｓ34bが受信された時刻を表示させることもできる。
【００４５】
さらに、制御機２５から携帯端末２２ａ、２２ｂ、・・・へとそれぞれ伝送される端末呼出報知信号Ｓ34bには、表示部２２０の文字色、点滅（点滅パターン）、表示マーク、フォント等を変更するための制御情報を付加させることもでき、この制御情報が付加されている場合には、端末番号が一致した携帯端末２２ｂの表示部２２０に表示される各種データの文字色、点滅（点滅パターン）、表示マーク、フォント等が変更される。
【００４６】
次に、前述のような呼出報知をもとに、１０１号室内のベッド子機４ａが病床に設置されている患者（またはベッド子機４ａにて緊急呼び出しを行った看護師）からの緊急呼び出しに優先して１０２号室内のベッド子機４ｂが病床に設置されている患者からの通常呼び出しを確認した（ナースステーション内の）在室看護師および携帯端末２２ｂを携行している巡回看護師のうち、最先に応答操作を行った看護師、先ず、在室看護師がナースコール親機２１のハンドセット２１５を取り上げて応答すると、この応答操作を検出した（図２のブロック図に示す）親機ＣＰＵ２１７により通話回路２１６が制御され、在室看護師が使用するハンドセット２１５と通話回路２１６、親機Ｉ／Ｆ２１８、親機ラインＬ22、制御機２５の親機側制御機Ｉ／Ｆ２５３、制御機ＣＰＵ２５１、廊下灯側制御機Ｉ／Ｆ２５２、廊下灯ラインＬ20、廊下灯２０ｂ、ベッド子機ラインＬ4bを介して通常呼出元である病床の患者が使用するベッド子機４ｂの通話機能（詳述せず）との間の通話路が形成され、形成された通話路を介して音声信号を送受信させることにより通話が成立するばかりでなく、在室看護師による迅速かつ適切な対応および看護業務の遂行が図れる。
【００４７】
一方、１０２号室内のベッド子機４ｂが病床に設置されている患者を受け持つ（担当の）巡回看護師が携帯端末２２ｂにて適宜、応答すると、携帯端末２２ｂの呼出通話部２２１と基地局２３、基地局ラインＬ21、ＰＢＸ交換機２４、交換機ラインＬ23、（図２のブロック図に示す）制御機２５の交換機側制御機Ｉ／Ｆ２５４、制御機ＣＰＵ２５１、廊下灯側制御機Ｉ／Ｆ２５２、廊下灯ラインＬ20、廊下灯２０ｂ、ベッド子機ラインＬ4bを介して通常呼出元である病床の患者が使用するベッド子機４ｂの通話機能（詳述せず）との間の通話路が形成され、形成された通話路を介して音声信号を送受信させることにより通話が成立するばかりでなく、巡回看護師による迅速かつ適切な対応および看護業務の遂行が図れる。
【００４８】
また、前述のような呼出報知をもとに、１０１号室内のベッド子機４ａが病床に設置されている患者（またはベッド子機４ａにて緊急呼び出しを行った看護師）からの緊急呼び出しを確認した携帯端末２２ａ、２２ｂ、・・・を携行している全ての巡回看護師のうち何れかの当該看護師が適宜、応答する、ここでは、携帯端末２２ａを携行している巡回看護師が適宜、応答すると、携帯端末２２ａの呼出通話部２２１と基地局２３、基地局ラインＬ21、ＰＢＸ交換機２４、交換機ラインＬ23、（図２のブロック図に示す）制御機２５の交換機側制御機Ｉ／Ｆ２５４、制御機ＣＰＵ２５１、廊下灯側制御機Ｉ／Ｆ２５２、廊下灯ラインＬ20、廊下灯２０ａ、ベッド子機ラインＬ4aを介して緊急呼出元である病床の患者（または看護師）が使用するベッド子機４ａの通話機能（詳述せず）との間の通話路が形成され、形成された通話路を介して音声信号を送受信させることにより通話が成立するばかりでなく、巡回看護師による迅速かつ適切な対応および看護業務の遂行が図れる。
【００４９】
次に、前述の説明では、呼出優先度の高／低の相違をもとに１０２号室内のベッド子機４ｂが病床に設置されている患者からの通常呼び出しを１０１号室内のベッド子機４ａが病床に設置されている患者（またはベッド子機４ａにて緊急呼び出しを行った看護師）からの緊急呼び出しに優先させて所定の呼出報知をナースコール親機２１にて行うにあたり、表示部駆動回路２１２を制御して、表示部２１１を構成するＬＣＤ、有機ＥＬ等に１０２号室内のベッド子機４ｂが病床に設置されている患者からの通常呼び出しがあることを示す文字や絵データを表示させる、および／または当該表示部を構成する複数個のＬＥＤのうちベッド子機４ｂに割り当てられているＬＥＤを通常呼び出しを示すパターンで点滅表示または点灯表示させたが、この表示形態に限定されず、表示部駆動回路２１２への制御による表示部２１１を構成するＬＣＤ、有機ＥＬ等での表示を、呼出優先度が高く設定された１０２号室内のベッド子機４ｂが病床に設置されている患者からの通常呼び出しがあることを示す文字や絵データを先頭に、呼出優先度が低く設定された１０１号室内のベッド子機４ａが病床に設置されている患者（またはベッド子機４ａにて緊急呼び出しを行った看護師）からの緊急呼び出しがあることを示す文字や絵データの順に並べて表示させることもできる。
【００５０】
なお、前述のように、ナースコール親機２１の親機ＣＰＵ２１７から表示部駆動回路２１２への制御による表示部２１１を構成するＬＣＤ、有機ＥＬ等での表示形態として、呼出優先度が高く設定された１０２号室内のベッド子機４ｂが病床に設置されている患者からの通常呼び出しがあることを示す文字や絵データを先頭に、呼出優先度が低く設定された１０１号室内のベッド子機４ａが病床に設置されている患者（またはベッド子機４ａにて緊急呼び出しを行った看護師）からの緊急呼び出しがあることを示す文字や絵データの順に並べて表示されている表示中において、（ナースステーション内の）在室看護師が応答するためには、ハンドセット２１５を取り上げて呼出優先度が高い患者に応答することのみならず、患者別優先呼出設定部２１０においてエスカッションの集合にて構成されている患者毎の選局ボタン２１０ａのうち呼出元のベッド子機４ａ、４ｂに該当した何れかの選局ボタンを操作することにより、通話相手先である病床の患者（または看護師）を呼出優先度の高／低に関係なく任意に選択することもできる。
【００５１】
次に、前述のように、ナースコール親機２１の親機ＣＰＵ２１７から表示部駆動回路２１２への制御による表示部２１１を構成するＬＣＤ、有機ＥＬ等での表示形態として、呼出優先度が高く設定された１０２号室内のベッド子機４ｂが病床に設置されている患者からの通常呼び出しがあることを示す文字や絵データを先頭に、呼出優先度が低く設定された１０１号室内のベッド子機４ａが病床に設置されている患者（またはベッド子機４ａにて緊急呼び出しを行った看護師）からの緊急呼び出しがあることを示す文字や絵データの順に並べて表示されている表示中において、１０１号室内のベッド子機１ａが病床に設置されている患者が在室看護師や受け持ち（担当）の巡回看護師に対して通常呼び出しを行うためにベッド子機１ａの通常呼出機能（詳述せず）を能動にすると、通常呼出元のベッド子機１ａにベッド子機ラインＬ1aを介して接続されている廊下灯２０ａでは、ベッド子機１ａに割り当てられている表示部２００を構成するＬＥＤを通常呼び出しを示すパターンで点滅表示または点灯表示させるとともに、通常呼び出しを示す呼出種別情報、自廊下灯の廊下灯番号（詳述せず）、ベッド子機１ａの子機番号「１」を含む呼出情報データを生成し、生成された呼出情報データを付加させた呼出信号Ｓ11aを廊下灯ラインＬ20に送出する。この呼出信号Ｓ11aは、前述の呼出信号Ｓ14aと同様な経路を介して（廊下灯２０ａを除く）他の廊下灯２０ｂ、・・・と（図２のブロック図に示す）制御機２５の制御機ＣＰＵ２５１とへそれぞれ伝送される。
【００５２】
なお、（廊下灯２０ａを除く）他の廊下灯２０ｂ、・・・では、廊下灯２０ａからの呼出信号Ｓ11aが制御機２５（の制御機ＣＰＵ２５１）からの出力信号でないことにより、通常、呼出信号Ｓ11aを無効であると判断する。
【００５３】
制御機２５の制御機ＣＰＵ２５１は、廊下灯２０ａからの呼出信号Ｓ11aに付加されている呼出情報データのうち、廊下灯番号（詳述せず）に割り当てられてメモリ２５０に記憶されている部屋番号「１０１」と呼出報知を行う当該携帯端末を指定するための端末番号（詳述せず）とを検出するとともに、検出された部屋番号「１０１」および前述の子機番号「１」に割り当てられてメモリ２５０に記憶されているベッド子機１ａが設置された病床の患者に関する患者優先設定データを検出する。ここでは、ベッド子機１ａが設置された病床を有する病室の部屋番号「１０１」、ベッド子機１ａが設置された病床の患者を受け持つ（担当の）巡回看護師が携行している携帯端末２２ａを指定するための端末番号（詳述せず）および呼出優先度が高く設定されている旨の患者優先設定データを検出し、検出された部屋番号「１０１」、患者優先設定データ、前述の呼出種別情報および子機番号「１」を付加させた親機呼出報知信号Ｓ21aと、同様に検出された部屋番号「１０１」、携帯端末２２ａを指定するための端末番号（詳述せず）、前述の呼出種別情報および子機番号「１」を付加させた端末呼出報知信号Ｓ31aとをそれぞれ生成する。また、親機呼出報知信号Ｓ21aおよび端末呼出報知信号Ｓ31aのうち、親機呼出報知信号Ｓ21aは、前述の親機呼出報知信号Ｓ24a、Ｓ24bと同様な経路を介してナースコール親機２１の親機ＣＰＵ２１７へと伝送される。一方、端末呼出報知信号Ｓ31aについても、前述の端末呼出報知信号Ｓ34a、Ｓ34bと同様な経路を伝送され、適宜、信号処理された無線信号として全ての携帯端末２２ａ、２２ｂ、・・・へとそれぞれ伝送される。
【００５４】
ナースコール親機２１の親機ＣＰＵ２１７は、制御機２５の制御機ＣＰＵ２５１からの親機呼出報知信号Ｓ21aに付加されている部屋番号「１０１」、患者優先設定データ、呼出種別情報および子機番号「１」をもとに、呼出優先度が高く設定された１０１号室内のベッド子機１ａが病床に設置されている患者からの通常呼び出しを検出し、前述のように、呼出優先度が高く設定された１０２号室内のベッド子機４ｂが病床に設置されている患者からの通常呼び出しがあることを示す文字や絵データを先頭に、呼出優先度が低く設定された１０１号室内のベッド子機４ａが病床に設置されている患者（またはベッド子機４ａにて緊急呼び出しを行った看護師）からの緊急呼び出しがあることを示す文字や絵データの順に並べて表示されている表示部２１１を構成するＬＣＤ、有機ＥＬ等の表示形態を切り替え、１０１号室内のベッド子機１ａが病床に設置されている患者からの通常呼び出しがあることを示す文字や絵データが当該表示部の画面上、優先表示位置に表示されるように表示部駆動回路２１２を制御して表示順序を変更するとともに、音声合成回路２１３を制御して、１０１号室内のベッド子機１ａが病床に設置されている患者からの通常呼び出しがあることを示す呼出音や音声メッセージをスピーカ２１４から出力させて呼出報知を行う。
【００５５】
（全ての）携帯端末２２ａ、２２ｂ、・・・は、それぞれ制御機２５の制御機ＣＰＵ２５１からの端末呼出報知信号Ｓ31aに付加されている端末番号と自端末の端末番号とを照合し、一致した場合にのみ所定の呼出操作を行う。ここでは、（全ての）携帯端末２２ａ、１２ｂ、・・・のうち携帯端末２２ａのみ端末呼出報知信号Ｓ31aに付加されている端末番号と自端末の端末番号とが一致し、端末呼出報知信号Ｓ31aに同様に付加されている部屋番号「１０１」、呼出種別情報および子機番号「１」をもとに１０１号室内のベッド子機１ａが病床に設置されている患者からの通常呼び出しがあることを検出し、検出された旨の文字や絵データを表示部２２０に表示させるとともに、検出された旨の呼出音や音声メッセージを呼出通話部２２１から出力させて呼出報知を行う。
【００５６】
なお、携帯端末２２ａでは、１０１号室内のベッド子機１ａが病床に設置されている患者からの通常呼び出しがある旨の呼出報知のうち表示部２２０での表示を、前述の１０１号室内のベッド子機４ａが病床に設置されている患者（またはベッド子機４ａにて緊急呼び出しを行った看護師）からの緊急呼び出しがある旨の表示と併せて表示させることもできる。
【００５７】
また、携帯端末２２ａの表示部２２０には、前述の各種データの他に、呼出時刻、すなわち、端末呼出報知信号Ｓ31aが受信された時刻を表示させることもできる。
【００５８】
さらに、制御機２５から携帯端末２２ａ、２２ｂ、・・・へとそれぞれ伝送される端末呼出報知信号Ｓ31aには、表示部２２０の文字色、点滅（点滅パターン）、表示マーク、フォント等を変更するための制御情報を付加させることもでき、この制御情報が付加されている場合には、端末番号が一致した携帯端末２２ａの表示部２２０に表示される各種データの文字色、点滅（点滅パターン）、表示マーク、フォント等が変更される。
【００５９】
なお、前述の呼出報知をもとに、呼出優先度が高く設定された１０２号室内のベッド子機４ｂが病床に設置されている患者からの通常呼び出しがあること、および呼出優先度が低く設定された１０１号室内のベッド子機４ａが病床に設置されている患者（またはベッド子機４ａにて緊急呼び出しを行った看護師）からの緊急呼び出しがあることと併せて呼出優先度が高く設定された１０１号室内のベッド子機１ａが病床に設置されている患者からの通常呼び出しがあることを確認した在室看護師、または巡回看護師が応答して通話を成立させる動作については、前述の該当動作と同様であることから説明は省略する。
【産業上の利用可能性】
【００６０】
本発明の実施例によるナースコールシステムでは、ナースステーション内に設置されたナースコール親機２１での患者の容態に応じた呼出優先度を高／低の２段階で設定したが、これに限定されず、より複数の段階で設定することができる。
【００６１】
また、本発明の実施例によるナースコールシステムでは、「１０１号室」、「１０２号室」、・・・のような病室内の各病床、所定の位置に設置されるベッド子機を、病室毎４台づつとしたが、この台数に限定されず、個室として病室を使用する場合には単一台、または大部屋として病室を使用する場合にはより複数台のように、病室毎で任意の台数を設置することができる。
【００６２】
また、本発明の実施例によるナースコールシステムにおいて、ナースステーションに設置されたナースコール親機２１の表示部２１１および携帯端末２２ａ、２２ｂ、・・・の表示部２２０にそれぞれ表示させる各種データは、呼出元の患者の部屋番号、呼出種別情報および子機番号であったが、病院内ネットワークに接続され、患者に関する患者名、重症度、救護区分、感染症、診療科目、チーム担当番号等の患者情報を記憶・検索するためのオーダリングシステム等のデータベース装置をナースコール親機２１または制御機２５に接続することにより、それぞれの表示部２１１、２２０に表示されるデータとして、呼出元の患者の部屋番号、呼出種別情報および子機番号のみならず患者に関する患者名、重症度、救護区分、感染症、診療科目、チーム担当番号等の患者管理データおよび医療看護データを併せて表示させることもでき、より詳細な呼出報知が可能となる。
【００６３】
また、本発明の実施例によるナースコールシステムでは、ナースステーション内に設置されたナースコール親機として、呼出報知機能および通話機能（詳述せず）が一体的に構成されたボード型のナースコール親機２１を適用したが、この構成のナースコール親機に限定されず、当該呼出報知機能および通話機能がそれぞれ分離して構成されるパーソナルコンピュータやインターホン等で構成される図１のシステム説明図（符号は付与せず）に示すようなナースコール親機の適用も好適であり、このナースコール親機を適用するにあたって、前述の患者別優先呼出設定部２１０としてはパーソナルコンピュータが有するタッチパネル、キーボード、マウス等が好適であり、表示部２１１としてはＬＣＤ、有機ＥＬ等が好適とされポップアップ表示も可能となる。
【００６４】
また、本発明の実施例によるナースコールシステムでは、ナースステーション内に設置されるナースコール親機として１台設けたが、この台数に限定されず、ナースステーションが複数ある場合には複数台の当該ナースコール親機を設置することができる。
【００６５】
また、本発明の実施例によるナースコールシステムでは、病室毎に設置、例えば、病室の出入口近傍や廊下先に設置される廊下灯として、ベッド子機ラインＬ1a〜Ｌ4a、Ｌ1b〜Ｌ4b、・・・をそれぞれ介して接続されたベッド子機１ａ〜４ａ、１ｂ〜４ｂ、・・・からの呼び出しがあることを呼出種別毎異なるパターンで点滅表示または点灯表示させる、或いはトイレ子機ラインＬ10a、Ｌ10b、・・・をそれぞれ介して接続された自病室内のトイレ子機１０ａ、１０ｂ、・・・からのトイレ呼び出しを前述の呼出種別とは異なるパターンで点滅表示または点灯表示させる表示部として、複数個のＬＥＤから構成された表示部２００を適用したが、この構成の廊下灯に限定されず、ベッド子機ラインＬ1a〜Ｌ4a、Ｌ1b〜Ｌ4b、・・・をそれぞれ介して接続された自病室内のベッド子機１ａ〜４ａ、１ｂ〜４ｂ、・・・からの呼び出しがあることを呼出種別毎異なるパターンの文字や絵データで表示させる、或いはトイレ子機ラインＬ10a、Ｌ10b、・・・をそれぞれ介して接続された自病室内のトイレ子機１０ａ、１０ｂ、・・・からのトイレ呼び出しを前述の呼出種別とは異なるパターンで表示させるＬＣＤ、有機ＥＬ等から構成された表示部の適用も好適である。
【００６６】
さらに、本発明の実施例によるナースコールシステムでは、「１０１号室」、「１０２号室」、・・・のような病室毎のトイレ内にトイレ子機１０ａ、１０ｂ、・・・を設置する当該システムを適用したが、これらのトイレ子機が不備とされる当該システムの適用も好適である。
【図面の簡単な説明】
【００６７】
【図１】本発明の実施例によるナースコールシステムの全体構成を示すシステム説明図。
【図２】本発明の実施例によるナースコールシステムにおいて、ナースコール親機および制御機の具体的な構成を示すブロック図。
【図３】本発明の実施例によるナースコールシステムにおいて、制御機のメモリに記憶される患者優先設定データの一例を示すテーブル構成図。
【符号の説明】
【００６８】
１ａ〜４ａ、１ｂ〜４ｂ、・・・ ……ベッド子機
２０ａ、２０ｂ、・・・ ……廊下灯
２１……ナースコール親機
２１０……患者別優先呼出設定部
２１０ａ……選局ボタン
２１１……表示部
２１７……親機ＣＰＵ（制御部）
２２ａ、２２ｂ、・・・ ……携帯端末
２５……制御機
２５０……メモリ
２５１……制御機ＣＰＵ（制御部）
【図１】
0004694797.tif 000002
【図２】
0004694797.tif 000003
【図３】
0004694797.tif 000004